(57)【要約】【課題】電力使用量の監視を複数の時間帯及び任意の時間単位で設定できて効果的に電力使用量の監視を行うことができ、省エネの意識が高まり、電力使用量の低減に繋がる電力モニターを提供する。【解決手段】分電盤の負荷回路の電力使用量を計測して予め設定した目標設定値を超えるかどうか監視し、電力使用量が目標設定値を超えた場合に警報を発する電力モニター１において、電力使用量の監視を複数の時間帯で、且つ、夫々任意の時間単位で設定できるようにした。【選択図】図１
2009089508.tif 000002
【特許請求の範囲】
【請求項１】
分電盤の負荷回路の電力使用量を計測して予め設定した目標設定値を超えないかどうか監視し、電力使用量が目標設定値を超えた場合に警報を発する電力モニターにおいて、前記電力使用量の監視を複数の時間帯で、且つ、夫々任意の時間単位で設定できるようにしたことを特徴とする電力モニター。
【請求項２】
警報を発した時間を記憶し、表示手段により表示することを特徴とする請求項１に記載の電力モニター。
【発明の詳細な説明】
【技術分野】
【０００１】
本発明は、負荷回路の電力使用量を計測して設定値を超えた場合に警報を発する電力モニターに関する。
【背景技術】
【０００２】
電力モニターは分電盤等に設けられ、本体に接続された変流器を分電盤内に配線された主電路を構成する電線に取り付け、電力使用量を計測して本体の表示部に表示するようになっている。そして、電力使用量の低減を図るため、計測した電力使用量が予め設定した目標設定値を超えないかどうか監視し、電力使用量が目標設定値を超えた場合は本体の超過表示灯が点滅したり、外部出力端子から警報信号を出力をして警報を発するようになっていた（例えば、非特許文献１参照。）。
【０００３】
【非特許文献１】“ｅ−ｍｏｎｉｔｏｒ”[online]、平成１８年７月、河村電器産業株式会社、[平成１９年８月３０日検索]、インターネット＜ＵＲＬ：http://www.kawamura.co.jp/images/electric/emonitor_s/emonitor3.pdf＞
【発明の開示】
【発明が解決しようとする課題】
【０００４】
しかしながら、従来の電力モニターは電力使用量が目標設定値を超えないかどうか月毎に判定するため、短時間で警報が発報されず、省エネ意識の向上に繋がらないという欠点があった。また、デマンド警報では３０分毎で電力使用量が目標設定値を超えないかどうか判定を行うが、時間を３０分以外に変更することはできず、また、判定基準の目標設定値を１つしか設定できず、時間帯での設定ができなかった。このため、ユーザーの使用状況に応じた時間の設定ができず、また、店舗などで営業時間中に警報が鳴らないように目標設定値を高めにすると、営業時間外でも警報が鳴らないので効果がなく、省エネ意識の向上に繋がらないという欠点があった。また、警報が鳴ったときに記録が残らないので１日のうちでいつ電力使用量が目標設定値を超えたか記録するにはメモを取らなければならないという欠点があった。
【課題を解決するための手段】
【０００５】
本発明は、請求項１に記載の発明によれば、分電盤の負荷回路の電力使用量を計測して予め設定した目標設定値を超えるかどうか監視し、電力使用量が目標設定値を超えた場合に警報を発する電力モニターにおいて、電力使用量の監視を複数の時間帯で、且つ、夫々任意の時間単位で設定できるようにしたことを特徴とする。
【０００６】
また、請求項２に記載の発明によれば、請求項１に記載の電力モニターにおいて、警報を発した時間を記憶し、表示手段により表示することを特徴とする。
【発明の効果】
【０００７】
請求項１に記載の発明によれば、電力使用量の監視を複数の時間帯及び任意の時間単位で設定できるので店舗などで営業時間中と営業時間外で時間帯を区別して１５分や３０分や１時間など計測時間を自由に設定することで効果的に電力使用量の監視を行うことができ、省エネの意識が高まり、電力使用量の低減に繋がるという効果がある。
【０００８】
請求項２に記載の発明によれば、電力使用量が目標値を超えた時間が記録に残るのでデータ収集が容易にできるとともに省エネ意識が高まり、電力使用量の低減に繋がるという効果がある。
【発明を実施するための最良の形態】
【０００９】
分電盤の負荷回路の電力使用量を計測して予め設定した目標設定値を超えるかどうか監視し、電力使用量が目標設定値を超えた場合に警報を発する電力モニターにおいて、電力使用量の監視を複数の時間帯で、且つ、夫々任意の時間単位で設定できるようにする。
【実施例１】
【００１０】
本発明に係る電力モニターの実施例１を図１〜図５の添付図面に基づいて説明する。
【００１１】
図１に示すように電力モニター１は本体２の前面に電力使用量や各種設定等の表示を行う表示部３と、表示の切り替えや設定の操作等を行う操作部４と、電力使用量が目標設定値を超えた場合に警告する電力超過表示灯５と外部出力端子６が設けられ、また、電流を計測する変流器がリード線を介して接続されて構成している。
【００１２】
そして、本体を分電盤等に収容して設けられ、本体２に接続された変流器を分電盤内に配線された主電路を構成する電線に取り付け、電力使用量を計測して図２に示すように本体２の表示部３に表示するようになっている。
【００１３】
電力使用量の監視は、複数の時間帯で、且つ、任意の時間単位に設定して行う。例えば、図３に示すように店舗の場合は１０時台から１９時台までの営業時間帯と２０時台から翌日９時台までの閉店時間帯の２区分で設定し、そして、時間単位を１５分、３０分、或いは１時間等に設定する。
【００１４】
これにより、図４に示すように営業時間帯と閉店時間帯で夫々目標設定値を設定できるので営業時間帯は目標設定値を高めに設定し、閉店時間帯は目標設定値を低めに設定する等、時間帯に適した監視が可能であり、また、任意の時間単位で設定できるので使用状況に応じて効果的に監視することができる。
【００１５】
電力使用量が目標設定値を超えた場合は本体２の電力超過表示灯５が点滅して警告するとともに、外部出力端子６から警報信号を出力をして警報を発するようになっている。
【００１６】
警報が鳴ったとき、日時が本体２の記憶手段に記憶される。操作部４を操作することで図５に示すように警報が鳴った時間を確認することができる。このように電力使用量が目標値を超えた時間が記録に残るのでデータ収集が容易にできるとともに省エネ意識が高まり、電力使用量の低減に繋がることになる。
【図面の簡単な説明】
【００１７】
【図１】本発明の実施例に係る電力モニターの取り付け状態を示す正面図である。
【図２】本発明の実施例に係る電力モニターにおいて電力使用量を表示した画面を示す図である。
【図３】本発明の実施例に係る電力モニターの時間帯設定の表示画面を示す図である。
【図４】本発明の実施例に係る電力モニターの目標値設定の表示画面を示す図である。
【図５】本発明の実施例に係る電力モニターの警報を記録した時間の表示画面を示す図である。
【符号の説明】
【００１８】
１    電力モニター
２    本体
３    表示部
４    操作部
５    電力超過表示灯
６    外部出力端子
【図１】
2009089508.tif 000003
【図２】
2009089508.tif 000004
【図３】
2009089508.tif 000005
【図４】
2009089508.tif 000006
【図５】
2009089508.tif 000007